(57)【特許請求の範囲】
【請求項１】
隣接する外壁材の間に形成される目地空間に屋外側から圧入される目地部材の取付構造であって、
前記目地部材は、屋外側から屋内側に向かって圧入方向に延びる目地本体と、この目地本体の屋内側に設けられ前記目地空間を止水する止水部と、前記目地本体の屋外側端部に設けられ前記目地空間を塞ぐ目地表装部とを備え、
前記目地表装部は、前記止水部よりは目地幅方向の長さが短く、前記目地空間よりは目地幅方向の長さが長く形成されているとともに、弾性変形可能とされ、かつ目地幅方向の形状が断面曲線状で前記止水部側に反った曲面となっており、
前記止水部は、前記目地本体に設けられ弾性変形により前記目地空間を塞ぐ第１止水部と、前記目地本体の第１止水部より屋外側に設けられ弾性変形により前記目地空間を塞ぐ第２止水部とを備え、
前記第１止水部および前記第２止水部は連結部材で連結され、
前記目地部材の端面同士の接合部分では、当該目地部材が長さ方向に対して略斜めに切断されることにより、前記目地表装部の端面がその長さ方向に突出して形成されているとともに、
前記目地表装部および前記止水部の両端が前記外壁材に引っかかって屋外側に弾性変形しながら前記目地空間に圧入され、かつ前記端面同士が押し付けられて接合されていることを特徴とする目地部材の取付構造。
【請求項２】
請求項１に記載の目地部材の取付構造において、
前記目地本体は、その内部に長さ方向に沿ってワイヤー材を有していることを特徴とする目地部材の取付構造。
【請求項３】
目地部材をその端面同士で接合する接合方法であって、
前記目地部材は、屋外側から屋内側に向かって圧入方向に延びる目地本体と、この目地本体の屋内側に設けられ前記目地空間を止水する止水部と、前記目地本体の屋外側端部に設けられ前記目地空間を塞ぐ目地表装部とを備え、
前記目地表装部は、前記止水部よりは目地幅方向の長さが短く、前記目地空間よりは目地幅方向の長さが長く形成されているとともに、弾性変形可能とされ、かつ目地幅方向の形状が断面曲線状で前記止水部側に反った曲面となっており、
前記止水部は、前記目地本体に設けられ弾性変形により前記目地空間を塞ぐ第１止水部と、前記目地本体の第１止水部より屋外側に設けられ弾性変形により前記目地空間を塞ぐ第２止水部とを備え、
前記第１止水部および前記第２止水部は連結部材で連結され、
前記各目地部材を長さ方向に対して略斜めに切断することにより、それぞれの前記目地表装部の端面をその長さ方向に突出して形成し、これら目地部材を端面同士で押し付けて接合することを特徴とする接合方法。
【発明の詳細な説明】
【０００１】
【発明の属する技術分野】
本発明は、例えば、隣接する外壁材の間に形成される目地空間に屋外側から圧入される目地部材の取付構造および目地部材の接合方法に関する。
【０００２】
【背景技術】
在来工法で建築される一般住宅等の建物においては、一般に、サイディング材等の外壁材を鉄骨や木材で形成された軸組に取り付けることにより外壁を形成する。
また、複数の建物ユニットを予め工場で製造し、これらを建設現場で組み合わせて建物を構築するユニット工法においては、例えば、工場で建物ユニットを製造する際に、ＡＬＣやＰＡＬＣ等の軽量気泡コンクリートからなる外壁材を、柱および梁で形成された箱状のフレームに組み付けておき、この外壁材を取り付けた建物ユニットを建設現場まで運搬して積層することにより、外壁を形成する。
【０００３】
このようにサイディング材や軽量気泡コンクリート等の外壁材を上下左右に並設した外壁では、隣接する外壁材の間の目地空間から雨水が屋内に浸入するのを防止するため、目地空間には湿式目地工法や乾式目地工法等による防水処理が施される。
湿式目地工法とは、流動性を有するコーキング材をガンを用いて目地空間に充填した後、その表面をへらで均して目地表面を僅かに凹んだ形状に仕上げるものである。
【０００４】
乾式目地工法とは、樹脂成型品等の目地部材を圧入して目地を形成するものである。この乾式目地について、本出願人は、屋外側から屋内側に延びる目地本体と、この目地本体に設けられ前記目地空間を止水する止水部と、前記目地本体の屋外側端部に設けられ前記目地空間を塞ぐ目地表装部とを含んで構成された目地部材を提案した（特開平１１−６２０３４号公報参照）。特開平１１−６２０３４号公報によれば、目地部材を目地空間に圧入すると、止水部が目地空間を塞いで屋外からの雨水の浸入を防ぐとともに、目地表装部が外壁材に僅かに引っかかることによって弾性変形して屋外側に反ることとなって、目地表面が凹んだ形状となる。
【０００５】
【発明が解決しようとする課題】
しかしながら、目地部材を目地空間に圧入した際、目地部材の目地表装部が屋外側に反りすぎてしまい、湿式目地工法による目地と同様の外観とならない場合があった。その結果、目地の位置に応じて要求される性能や施工条件等を考慮しながら湿式目地工法または目地部材を用いる乾式目地工法を選択して用いることが難しく、湿式目地工法と併用することが困難であった。
【０００６】
本発明の目的は、湿式目地工法による目地と同様の外観を得ることができる目地部材の取付構造および目地部材の接合方法を提供することにある。
【０００７】
【課題を解決するための手段】
上記目的を達成するため、本発明の目地部材およびその接合方法は、次の構成を採用する。
本発明を図面を参照して説明すると、請求項１に記載の目地部材の取付構造は、隣接する外壁材６，６Ａ，６Ｂ，７の間に形成される目地空間８，９に屋外側から圧入される目地部材２０の取付構造であって、屋外側から屋内側に向かって圧入方向に延びる目地本体２２と、この目地本体の屋内側に設けられ前記目地空間を止水する止水部２３，２４と、前記目地本体の屋外側端部に設けられ前記目地空間を塞ぐ目地表装部２５とを備え、前記目地表装部は、前記止水部よりは目地幅方向の長さが短く、前記目地空間よりは目地幅方向の長さが長く形成されているとともに、弾性変形可能とされ、かつ目地幅方向の形状が断面曲線状で前記止水部側に反った曲面となっており、前記止水部は、前記目地本体に設けられ弾性変形により前記目地空間を塞ぐ第１止水部２３と、前記目地本体の第１止水部より屋外側に設けられ弾性変形により前記目地空間を塞ぐ第２止水部２４とを備え、前記第１止水部および前記第２止水部は連結部材２６で連結され、前記目地部材の端面同士の接合部分では、当該目地部材が長さ方向に対して略斜めに切断されることにより、前記目地表装部の端面がその長さ方向に突出して形成されているとともに、前記目地表装部および前記止水部の両端が前記外壁材に引っかかって屋外側に弾性変形しながら前記目地空間に圧入され、かつ前記端面同士が押し付けられて接合されていることを特徴とする。
【０００８】
この発明によれば、目地空間に目地部材を屋外側から圧入すると、止水部が目地空間に挿入されて目地空間を止水するとともに、目地表装部が外壁材に引っかかって屋外側に弾性変形しながら挿入されて目地空間を塞ぐ。このとき、目地表装部は、元々止水部側に反って設けられているため、外壁材によって屋外側に弾性変形しても、僅かに屋外側に反った状態、つまり僅かに凹状となる。したがって、止水部で屋内への雨水の浸入を防止しつつ、弾性変形した目地表装部が硬化した湿式目地工法による目地と同様の外観を得ることができる。しかも、目地表装部の目地幅方向の長さを止水部よりは短く、目地空間よりは長くしたので、目地部材を目地空間に圧入しても、外壁材によって止水部ほど押圧されず、目地表装部が屋外側に反りすぎるのを防止しできる。そのうえ、第１止水部および第２止水部により２重に防水できるから、目地部材の防水性能を向上できる。また、目地部材を目地空間に圧入した場合に、各止水部が弾性変形しようとしても、連結部材によって過度の変形を互いに抑制するから、各止水部を確実に外壁材に密着させることができ、防水性能をさらに向上できる。
また、目地部材を端面同士で押し付けることにより、各目地部材の突出した目地表装部同士が互いに押圧されて弾性変形し、目地表装部同士が隙間なく密着するから、目地部材同士の接合部分の外観を良好にするとともに、雨水の浸入を防ぐことができる。
【００１２】
請求項２に記載の目地部材の取付構造は、請求項１に記載の目地部材の取付構造において、前記目地本体は、その内部に長さ方向に沿ってワイヤー材２７を有していることを特徴とする。
この発明によれば、例えば、目地部材を目地空間に圧入する場合に、目地部材が長さ方向に延びて防水性低下や外観不良等の不具合が発生するのを防止できる。
【００１３】
請求項３に記載の目地部材の接合方法は、目地部材をその端面同士で接合する接合方法であって、前記目地部材２０は、屋外側から屋内側に向かって圧入方向に延びる目地本体と、この目地本体の屋内側に設けられ前記目地空間を止水する止水部と、前記目地本体の屋外側端部に設けられ前記目地空間を塞ぐ目地表装部とを備え、前記目地表装部は、前記止水部よりは目地幅方向の長さが短く、前記目地空間よりは目地幅方向の長さが長く形成されているとともに、弾性変形可能とされ、かつ目地幅方向の形状が断面曲線状で前記止水部側に反った曲面となっており、前記止水部は、前記目地本体に設けられ弾性変形により前記目地空間を塞ぐ第１止水部と、前記目地本体の第１止水部より屋外側に設けられ弾性変形により前記目地空間を塞ぐ第２止水部とを備え、前記第１止水部および前記第２止水部は連結部材で連結され、前記各目地部材を長さ方向に対して略斜めに切断することにより、それぞれの前記目地表装部の端面をその長さ方向に突出して形成し、これら目地部材を端面同士で押し付けて接合することを特徴とする。
なお、略斜めに切断するとは、その切り口が平坦となる場合に限らず、凹状や凸状となる場合も含まれる。
この発明によれば、目地部材を端面同士で押し付けることにより、各目地部材の突出した目地表装部同士が互いに押圧されて弾性変形し、目地表装部同士が隙間なく密着するから、目地部材同士の接合部分の外観を良好にするとともに、雨水の浸入を防ぐことができる。
【００１５】
【発明の実施の形態】
以下、本発明の実施形態を図面に基づいて説明する。
図１には、２階建てのユニット式建物１の全体斜視図が示されている。
ユニット式建物１は、基礎２と、この基礎２上に積層配置された箱形の建物ユニット３と、これら建物ユニット３の上に配置された屋根（図示省略）とを含んで構成されている。
【００１６】
図２には、建物ユニット３の斜視図が示されている。
建物ユニット３は、四本の柱１１、これら四本の柱１１の上端間を連結する上梁１２および四本の柱１１の下端間を連結する下梁１３を含んで構成される直方体状のフレーム４と、上梁１２間に架け渡された複数の小梁１４と、下梁１３間に架設された複数の根太１５とを備えている。
建物ユニット３は、内装材として、小梁１４に支持された天井面材１６や根太１５に支持された床面材１７のほか、図示しない内壁パネルおよび間仕切パネル等を備えている。
【００１７】
さらに、図１にも示すように、屋外に面する建物ユニット３は、そのフレーム４の側面にＡＬＣやＰＡＬＣ等の軽量気泡コンクリートからなる矩形板状の外壁材６を備えている。なお、屋外に面する建物ユニット３のうち、ユニット式建物１の角隅部、つまり、ユニット式建物１の出隅部１Ａおよび入隅部１Ｂに配置される建物ユニット３は、そのフレーム４の角隅部に、平面視で略Ｌ字状の角隅部用外壁材７を備えている。
【００１８】
このような建物ユニット３を積層配置することで、各建物ユニット３の外壁材６，７は上下左右に並設され、これら外壁材６，７によってユニット式建物１の外壁が構成されている。
本実施形態の外壁においては、上下に隣接する外壁材６の間、角隅部用外壁材７の間にそれぞれ横目地空間８が形成され、左右に隣接する外壁材６の間、外壁材６，７の間にそれぞれ縦目地空間９が形成されている。これら横目地空間８および縦目地空間９には、目地部材２０が屋外側から圧入されて配置されている。
【００１９】
図３には、目地部材２０が横目地空間８に圧入された状態の斜視図が示されている。
目地部材２０は、上下に隣接する外壁材６Ａ，６Ｂで形成された横目地空間８に屋外側から圧入(図３中の矢印方向)されて配置されるものである。なお、目地部材２０が縦目地空間９に圧入された場合も同様の状態となる。
【００２０】
図４には、目地部材２０の断面図が示されている。
目地部材２０は、横目地空間８の長さ方向に連続した形状を有し、屋外側から屋内側に向かって圧入方向に延びる目地本体２２と、この目地本体２２の屋外側に設けられ横目地空間８を止水する第１止水部２３および第２止水部２４と、第１止水部２３と第２止水部２４とを連結する連結部材２６と、目地本体２２の屋外側端部に設けられ横目地空間８を塞ぐ目地表装部２５とを備え、これら目地本体２２、各止水部２３，２４、連結部材２６および目地表装部２５は一体に形成されている。
【００２１】
第１止水部２３は、目地本体２２の屋内側端部に目地幅方向に突出して設けられた２つの第１止水片２３１，２３２を含んで構成され、第２止水部２４は、目地本体２２の第１止水部２３より屋外側に目地幅方向に突出して設けられた２つの第２止水片２４１，２４２を含んで構成されている。
第１止水部２３および第２止水片２４の目地幅方向の長さ、つまり、第１止水片２３１先端から第１止水片２３２先端までの長さと、第２止水片２４１先端から第２止水片２４２先端までの長さは、寸法Ｓ１とされている。
【００２２】
連結部材２６は、第１止水片２３１および第２止水片２４１のそれぞれの中間部分を連結する連結片２６１と、第１止水片２３２および第２止水片２４２のそれぞれの中間部分を連結する連結片２６２とを含んで構成されている。
目地本体２２、第１止水片２３１、第２止水片２４１および連結片２６１によって矩形筒状の空間が形成され、また、目地本体２２、第１止水片２３２、第２止水片２４２および連結片２６２によって矩形筒状の空間が形成されており、これらの空間は横目地空間８の長さ方向に連続している。
【００２３】
目地表装部２５は、弾性を有する材料により形成され、幅方向の形状が断面曲線状で、かつ、その長さが寸法Ｓ２（Ｓ２＜Ｓ１）とされ、幅方向略中央で目地本体２２に連結されている。すなわち、止水部２３，２４より目地幅方向の長さが短く、かつ、止水部２３，２４側に反った曲面となっている。また、目地表装部２５の屋外側の面は、美観を確保するために、外壁材６，７と略同じ色に形成され、外壁材６，７と略同じ質感にするためのエンボス加工が施されている。
目地本体２２は、その長さ方向に沿って内部にワイヤー材２７を有している。
【００２４】
本実施形態においては、次のような手順で横目地空間８および縦目地空間９の防水処理を行う。
図３に戻って、横目地空間８に目地部材２０を屋外側から圧入すると、第１止水部２３および第２止水部２４の各止水片２３１，２３２，２４１，２４２は、連結片２６１，２６２によって過度の変形を互いに抑制しながら、その先端が弾性変形して外壁材６Ａ，６Ｂの上下端面に密着し、これにより、横目地空間８を塞いで外部からの雨水の浸入を防止する。
このとき、目地表装部２５は、その両端が外壁材６に引っかかって屋外側に弾性変形しながら横目地空間８に挿入される。目地表装部２５は、元々止水部２３，２４側に反って設けられているうえため、外壁材６Ａ，６Ｂによって屋外側に弾性変形しても、僅かに屋外側に反った状態、つまり目地表装部２５の表面が僅かに凹んだ状態で横目地空間８を塞ぐ。
【００２５】
また、以上の目地部材２０同士の接合は以下のように行う。
図５に示すように、２つの目地部材２０を長さ方向に対して斜めに切断することにより、長さ方向に目地表装部２５の端面が突出した目地部材２０Ａを形成し、これら目地部材２０Ａを端面同士で押し付ける。すると、各目地部材２０Ａの突出した目地表装部２５が互いに押圧されて弾性変形して密着する。
【００２６】
したがって、本実施形態によれば以下の効果がある。
(１)屋外側から屋内側に向かって圧入方向に延びる目地本体２２と、この目地本体２２に設けられ横目地空間８を止水する止水部２３，２４と、目地本体２２の屋外側端部に設けられ横目時空間８を塞ぐ目地表装部２５とを含んで目地部材２０を構成したので、横目地空間８に目地部材２０を屋外側から圧入すると、第１止水部２３および第２止水部２４が横目地空間８に挿入されて、横目地空間８を塞ぐ。このとき、目地表装部２５は、元々止水部２３，２４側に反って設けられているため、外壁材６によって屋外側に弾性変形しても、僅かに屋外側に反った状態、つまり目地表装部２５の表面が僅かに凹状となる。したがって、止水部２３，２４で屋内への雨水の浸入を防止しつつ、弾性変形した目地表装部２５が硬化した湿式目地工法による目地と同様の外観を得ることができる。
【００２７】
(２)目地表装部２５の目地幅方向の長さをＳ２とし、第１止水部２３および第２止水部２４の目地幅方向の長さＳ１より短くしたので、目地部材２０を横目地空間８に圧入しても、外壁材６Ａ，６Ｂによって各止水部２３，２４ほど押圧されないため、目地表装部２５が屋外側に反りすぎるのを防止して、湿式目地工法による目地と同様の外観を容易に形成できる。
(３)第１止水部２３および第２止水部２４を設けたので、各止水片２３１，２３２，２４１，２４２により２重に防水できるから、目地部材の防水性能を向上できる。
【００２８】
(４)連結片２６１で第１止水片２３１および第２止水片２４１を連結し、連結片２６２で第１止水片２３２および第２止水片２４２を連結したので、目地部材２０を横目地空間８に圧入した場合に、各止水片２３１，２３２，２４１，２４２が弾性変形しようとしても、各連結片２６１，２６２によって過度の変形を互いに抑制するから、止水片２３１，２３２，２４１，２４２を確実に外壁材６に密着させることができ、防水性能をさらに向上できる。
(５)目地本体２２に内部に長さ方向に沿ってワイヤー材２７を設けたので、目地部材２０を横目地空間８に圧入する場合に、目地部材２０が長さ方向に延びて防水性低下や外観不良等の不具合が発生するのを防止できる。
【００２９】
(６)各目地部材２０を長さ方向に対して略斜めに切断することにより、それぞれの目地表装部２５の端面をその長さ方向に突出して形成し、これら目地部材２０Ａを端面同士で押し付けたので、各目地部材２０Ａの突出した目地表装部２５同士が互いに押圧されて弾性変形し、目地表装部２５同士が隙間なく密着するから、目地部材２０Ａ同士の接合部分の外観を良好にするとともに、雨水の浸入を防ぐことができる。
【００３１】
〔参考例〕
図６には、目地部材２０同士の接合部分の側面図が示されている。
２つの目地部材２０のうち、一方の目地部材２０を長さ方向に対して略斜めに切断することにより、その目地表装部２５の端面が長さ方向に突出した目地部材２０Ｂを形成する。また、他方の目地部材２０を長さ方向に対して略斜めに切断することにより、その止水部２３，２４の端面が長さ方向に突出した目地部材２０Ｃを形成する。
目地部材２０Ｂ，２０Ｃを端面同士で押し付けると、目地部材２０Ｂの突出した目地表装部２５が目地部材２０Ｃの目地表装部２５に密着し、目地部材２０Ｃの突出した止水部２３，２４が目地部材２０Ｂの止水部２３，２４に密着する。
【００３２】
このようにしても、前記実施形態で述べた(１)〜(５)の効果に加え、以下のような効果がある。
(７)目地表装部２５の端面が長さ方向に突出した目地部材２０Ｂと、止水部２３，２４の端面が長さ方向に突出した目地部材２０Ｃを形成し、目地部材２０Ｂ，２０Ｃを端面同士で押し付けたので、目地部材２０Ｂの突出した目地表装部２５が目地部材２０Ｃの目地表装部２５に密着し、目地部材２０Ｃの突出した止水部２３，２４が目地部材２０Ｂの止水部２３，２４に密着するから、目地部材２０Ｂ，２０Ｃの接合部分の外観を良好にするとともに、雨水の浸入を防ぐことができる。
なお、本発明は前記実施形態に限定されるものではなく、本発明の目的を達成できる範囲での変形、改良等は本発明に含まれる。
【００３３】
【発明の効果】
本発明の目地部材の取付構造、および目地部材の接合方法によれば、次のような効果が得られる。
請求項１に記載の目地部材の取付構造によれば、目地空間に目地部材を屋外側から圧入すると、止水部が目地空間に挿入されて目地空間を止水するとともに、目地表装部が外壁材に引っかかって屋外側に弾性変形しながら挿入されて目地空間を塞ぐ。このとき、目地表装部は、元々止水部側に反って設けられているため、外壁材によって屋外側に弾性変形しても、僅かに屋外側に反った状態、つまり僅かに凹状となる。しかも、外壁材によって止水部ほど押圧されないため、目地表装部が屋外側に反りすぎるのを防止して、湿式目地工法による目地と同様の外観を容易に形成できる。そのうえ、第１止水部および第２止水部により２重に防水できるから、目地部材の防水性能を向上できる。そのうえ、連結部材によって過度の変形を互いに抑制するから、各止水部を確実に外壁材に密着させることができ、防水性能をさらに向上できる。また、各目地部材の突出した目地表装部同士が互いに押圧されて弾性変形し、目地表装部同士が隙間なく密着するから、目地部材同士の接合部分の外観を良好にするとともに、雨水の浸入を防ぐことができる。
【００３７】
請求項２に記載の目地部材の取付構造によれば、目地部材が長さ方向に延びて防水性低下や外観不良等の不具合が発生するのを防止できる。
【００３８】
請求項３に記載の目地部材の接合方法によれば、各目地部材の突出した目地表装部同士が互いに押圧されて弾性変形し、目地表装部同士が隙間なく密着するから、目地部材同士の接合部分の外観を良好にするとともに、雨水の浸入を防ぐことができる。
【図面の簡単な説明】
【図１】  本発明の一実施形態に係る目地部材が適用されたユニット式建物を示す全体斜視図である。
【図２】  前記実施形態に係るユニット式建物を構成する建物ユニットの斜視図である。
【図３】  前記実施形態に係る目地部材が横目地空間に圧入された状態の斜視図である。
【図４】  前記実施形態に係る目地部材の断面図である。
【図５】  前記実施形態に係る目地部材の接合方法を説明するための正面図および側面図である。
【図６】  参考例の目地部材の接合方法を説明するための正面図および側面図である。
【符号の説明】
６，６Ａ，６Ｂ    外壁材
７                角隅部用外壁材
８                横目地空間
９                縦目地空間
２０，２０Ａ，２０Ｂ      目地部材
２２              目地本体
２３，２４        止水部
２５              目地表装部
２６              連結部材
２７              ワイヤー材
【図１】
0003889978.tif 000002
【図２】
0003889978.tif 000003
【図３】
0003889978.tif 000004
【図４】
0003889978.tif 000005
【図５】
0003889978.tif 000006
【図６】
0003889978.tif 000007